(57)【特許請求の範囲】
【請求項１】
ＳＩＰに従い、ＩＰ網を介して通信相手との間にセッションを確立する通信装置であって、
前記通信相手への発呼に際して当該ＩＰ網にかかる品質クラスの指定を受け付ける品質クラス受付手段と、
前記品質クラス受付手段で受け付けた品質クラスの指定を伴う、前記通信相手を着側とする第一のＩＮＶＩＴＥメッセージを、前記ＩＰ網上のＳＩＰサーバに送信して、前記通信相手との間にセッションを確立するセッション処理手段と、
前記第一のＩＮＶＩＴＥメッセージによって前記通信相手との間にセッションが確立された場合に、所定の通信のために必要な指定を伴う、前記通信相手を着側とする第二のＩＮＶＩＴＥメッセージを、前記通信相手に送信して、前記所定の通信のために必要な設定情報を前記通信相手と共有する設定情報共有手段と、
前記設定情報共有手段により前記通信相手と共有した設定情報に従い、前記第一のＩＮＶＩＴＥメッセージによって前記通信相手との間に確立されたセッションを介して、前記通信相手と前記所定の通信を行う通信処理手段と、を有する
ことを特徴とする通信装置。
【請求項２】
請求項１に記載の通信装置であって、
前記セッション処理手段は、
前記第一のＩＮＶＩＴＥメッセージに対するレスポンスとして、前記通信相手から所定のエラーメッセージを受信した場合に、前記第二のＩＮＶＩＴＥメッセージを前記ＩＰ網上のＳＩＰサーバに送信して、前記通信相手との間にセッションを確立する
ことを特徴とする通信装置。
【請求項３】
請求項１または２に記載の通信装置であって、
前記第一のＩＮＶＩＴＥメッセージで指定されている品質クラスを表示する品質クラス表示手段をさらに有する
ことを特徴とする通信装置。
【請求項４】
請求項１乃至３のいずれか一項に記載の通信装置であって、
電話機を接続する接続手段をさらに有し、
前記品質クラス受付手段は、
前記接続手段に接続された前記電話機から前記通信相手への発呼と共に受け付けた所定の特番あるいは所定のボタン押下情報を、品質クラスの指定として受け付ける
ことを特徴とする通信装置。
【請求項５】
請求項４に記載の通信装置であって、
前記第一のＩＮＶＩＴＥメッセージで指定されている品質クラスを、前記接続手段に接続された前記電話機に通知する品質クラス通知手段をさらに有する
ことを特徴とする通信装置。
【請求項６】
ＳＩＰに従い、ＩＰ網を介して通信相手との間にセッションを確立する通信装置であって、
前記ＩＰ網上のＳＩＰサーバから受信した第一のＩＮＶＩＴＥメッセージの送信元である前記通信相手に２００ＯＫを送信して、前記通信相手との間にセッションを確立するセッション処理手段と、
前記第一のＩＮＶＩＴＥメッセージによって前記通信相手との間にセッションが確立された場合に、所定の通信のために必要な指定を伴う第二のＩＮＶＩＴＥメッセージを前記通信相手から受信して、前記所定の通信のために必要な設定情報を前記通信相手と共有する設定情報共有手段と、
前記設定情報共有手段により前記通信相手と共有した設定情報に従い、前記第一のＩＮＶＩＴＥメッセージによって前記通信相手との間に確立されたセッションを介して、前記通信相手と前記所定の通信を行う通信処理手段と、を有する
ことを特徴とする通信装置。
【請求項７】
請求項６に記載の通信装置であって、
前記第一のＩＮＶＩＴＥメッセージで指定されている前記ＩＰ網にかかる品質クラスを表示する品質クラス表示手段をさらに有する
ことを特徴とする通信装置。
【請求項８】
請求項６又は７に記載の通信装置であって、
電話機を接続する接続手段と、
前記第一のＩＮＶＩＴＥメッセージで指定されている品質クラスを前記接続手段に接続された前記電話機に通知する品質クラス通知手段と、をさらに有する
ことを特徴とする通信装置。
【請求項９】
ＳＩＰに従い、ＩＰ網を介してセッションを確立する通信方法であって、
発側の通信装置が、発呼に際して当該ＩＰ網にかかる品質クラスの指定を受け付け、当該受付けた品質クラスの指定を伴う第一のＩＮＶＩＴＥメッセージを、前記ＩＰ網上のＳＩＰサーバに送信し、
着側の通信装置が、前記ＩＰ網上のＳＩＰサーバから受信した第一のＩＮＶＩＴＥメッセージの送信元に２００ＯＫを送信して、前記発側の通信装置と前記着側の通信装置との間にセッションを確立し、
前記第一のＩＮＶＩＴＥメッセージによって前記発側の通信装置と前記着側の通信装置との間にセッションが確立された場合に、所定の通信のために必要な指定を伴う、前記着側の通信装置を着側とする第二のＩＮＶＩＴＥメッセージを、前記発側の通信装置から前記着側の通信装置に送信して、前記所定の通信のために必要な設定情報を前記発側の通信装置と前記着側の通信装置との間で共有し、
前記発側の通信装置と前記着側の通信装置との間で共有した設定情報に従い、前記第一のＩＮＶＩＴＥメッセージによって前記発側の通信装置と前記着側の通信装置との間に確立されたセッションを介して、前記発側の通信装置と前記着側の通信装置との間で前記所定の通信を行う
ことを特徴とする通信方法。
【発明の詳細な説明】
【技術分野】
【０００１】
本発明は、ＩＰ網を介して通信相手との間にセッションを確立する技術に関する。
【背景技術】
【０００２】
現在別々に構築されているインターネットサービス用のＩＰ網と電話サービス用の電話網とを、品質保証（ＱｏＳ）およびセキュリティを向上させたＩＰ網として統合し、現行の公衆網を代替する次世代ネットワーク（ＮＧＮ）が提案されている。ＮＧＮが備えるべき特徴として、エンドツーエンドの品質保証が挙げられる。このために、ＮＧＮでは、ＩＰ網内で帯域制御を行ってサービス品質の安定化を図る。通信装置から送信されるＩＮＶＩＴＥメッセージで品質クラスが指定され、ＩＰ網内のエッジルータが、この指定された品質クラスに従い、このＩＮＶＩＴＥメッセージにより確立されるセッションの帯域を確保する。
【０００３】
なお、品質クラスの指定方法としては、ＩＮＶＩＴＥメッセージのボディ部に含めるＳＤＰ（Ｓｅｓｓｉｏｎ  Ｄｅｓｃｒｉｐｔｉｏｎ  Ｐｒｏｔｏｃｏｌ）情報を用いることが考えられる。例えば、音声、映像、データ等のメディア種別を示すタイプｍおよび片方向、双方向等の通信方向を示すタイプａの記述により品質クラスを指定する方法が考えられる。
【非特許文献１】”ＮＧＮとは［Ｎｅｘｔ  Ｇｅｎｅｒａｔｉｏｎ  Ｎｅｔｗｏｒｋ］−意味・解説：ＩＴ用語辞典”、［ｏｎｌｉｎｅ］、［平成１９年８月７日検索］、インターネット＜URL:http://e-words.jp/w/NGN.html＞
【非特許文献２】”次世代ネットワーク（ＮＧＮ）とは？｜次世代ネットワーク（ＮＧＮ）フィールドトライアル｜ＮＴＴ東日本”、［ｏｎｌｉｎｅ］、［平成１９年８月７日検索］、インターネット＜URL:http://www.ntt-east.co.jp/ngn-trial/about/index.html＞
【発明の開示】
【発明が解決しようとする課題】
【０００４】
さて、ＮＧＮによる通信サービスでは、上位の品質クラスに基づくセッション程、サービス料金が高くなるものと思われる。一方、上述したように、ＮＧＮでは、通信装置から送信されるＩＮＶＩＴＥメッセージで品質クラスが指定され、ＩＰ網内のエッジルータが、この指定された品質クラスに従い、このＩＮＶＩＴＥメッセージにより確立されるセッションの帯域を確保する。ここで、通信装置は、自通信装置の種類（電話機、ＴＶ電話機、データ端末等）によって決定される品質クラスを指定し、この指定した品質クラスで通信サービスを受けるように構成されるものと思われる。例えば、通信装置がＴＶ電話機である場合、上位の品質クラス（タイプｍ：映像、音声、タイプａ：双方向）を指定し、この品質クラスでＴＶ電話サービスを受けるように構成されるものと思われる。しかし、例えば、友人等にかけるＴＶ電話に対しては、品質よりも料金を優先したい場合がある。
【０００５】
本発明は、上記事情に鑑みてなされたものであり、本発明の目的は、任意の品質クラスで通信サービスを受けることのできる技術を提供することにある。
【課題を解決するための手段】
【０００６】
上記課題を解決するために、本発明では、発側の通信装置が、発呼に際して、ＩＰ網にかかる品質クラスの指定を受け付け、この受付けた品質クラスの指定を伴うＩＮＶＩＴＥメッセージを、ＮＧＮ等のＩＰ網上のＳＩＰサーバに送信する。そして、着側の通信装置が、このＩＰ網上のＳＩＰサーバから受信したＩＮＶＩＴＥメッセージの送信元に２００ＯＫを送信して、発側の通信装置と着側の通信装置との間にセッションを確立する。
【０００７】
例えば、本発明は、ＳＩＰに従い、ＩＰ網を介して通信相手との間にセッションを確立する通信装置であって、
前記通信相手への発呼に際して当該ＩＰ網にかかる品質クラスの指定を受け付ける品質クラス受付手段と、
前記品質クラス受付手段で受け付けた品質クラスの指定を伴う、前記通信相手を着側とする第一のＩＮＶＩＴＥメッセージを、前記ＩＰ網上のＳＩＰサーバに送信して、前記通信相手との間にセッションを確立するセッション処理手段と、
前記第一のＩＮＶＩＴＥメッセージによって前記通信相手との間にセッションが確立された場合に、所定の通信のために必要な指定を伴う、前記通信相手を着側とする第二のＩＮＶＩＴＥメッセージを、前記通信相手に送信して、前記所定の通信のために必要な設定情報を前記通信相手と共有する設定情報共有手段と、
前記設定情報共有手段により前記通信相手と共有した設定情報に従い、前記第一のＩＮＶＩＴＥメッセージによって前記通信相手との間に確立されたセッションを介して、前記通信相手と前記所定の通信を行う通信処理手段と、を有する。
【０００９】
また、本発明は、ＳＩＰに従い、ＩＰ網を介して通信相手との間にセッションを確立する通信装置であって、
前記ＩＰ網上のＳＩＰサーバから受信した第一のＩＮＶＩＴＥメッセージの送信元である前記通信相手に２００ＯＫを送信して、前記通信相手との間にセッションを確立するセッション処理手段と、
前記第一のＩＮＶＩＴＥメッセージによって前記通信相手との間にセッションが確立された場合に、所定の通信のために必要な指定を伴う第二のＩＮＶＩＴＥメッセージを前記通信相手から受信して、前記所定の通信のために必要な設定情報を前記通信相手と共有する設定情報共有手段と、
前記設定情報共有手段により前記通信相手と共有した設定情報に従い、前記第一のＩＮＶＩＴＥメッセージによって前記通信相手との間に確立されたセッションを介して、前記通信相手と前記所定の通信を行う通信処理手段と、を有する。
【発明の効果】
【００１０】
本発明によれば、発呼に際してＩＰ網にかかる品質クラスの指定を受け付け、この受け付けた品質クラスの指定を伴うＩＮＶＩＴＥメッセージによってセッションを確立するようにしたので、任意の品質クラスで通信サービスを受けることができる。
【００１１】
また、本発明において、発側の通信装置が、所定の通信のために必要な指定を伴うＩＮＶＩＴＥメッセージを、セッションの確立後にＩＰ網上のＳＩＰサーバを経由することなく着側の通信相手に直接送信すれば、所定の通信が本来想定している品質クラス以外の品質クラスを指定するＩＮＶＩＴＥメッセージではＩＰ網上のＳＩＰサーバを通過することが保証されていない情報がある場合でも、発側の通信装置および着側の通信装置間で所定の通信のために必要な設定情報を共有することができる。
【発明を実施するための最良の形態】
【００１２】
以下、本発明の実施の形態を説明する。
［第一の実施の形態］
図１は、本発明の第一の実施の形態が適用された通信システムの概略図である。
【００１３】
図示するように、本実施の形態の通信システムは、通信装置３がＯＮＵ（Ｏｐｔｉｃａｌ  Ｎｅｔｗｏｒｋ  Ｕｎｉｔ）等の終端装置２を介してＩＰ網１に接続されて構成される。
【００１４】
ＩＰ網１は、ＮＧＮ等の品質保証されたＩＰ網１であり、ＩＰ網１内の図示していないエッジルータが、ＩＮＶＩＴＥメッセージにより指定された品質クラスに従い、このＩＮＶＩＴＥメッセージにより確立されるセッションの帯域を確保する。なお、図示していないが、ＩＰ網１には、通信装置３以外の既存のＳＩＰ端末、ＳＩＰサーバ、エッジルータ等が接続されている。
【００１５】
通信装置３は、このＩＰ網１に対応したＳＩＰ端末であり、ユーザにより指定された品質クラス、あるいは、自通信装置の種類（電話機、ＴＶ電話機、データ端末等）に応じて定まる品質クラスを、ＩＮＶＩＴＥメッセージのボディ部に含めるＳＤＰ情報を用いて指定する。本実施の形態では、音声、映像、データ等のメディア種別を示すタイプｍおよび片方向、双方向等の通信方向を示すタイプａの記述の組合せにより品質クラスを指定するものとするが、品質クラスを示すタグ等をＩＮＶＩＴＥメッセージのボディ部に含めてもよい。
【００１６】
図２は、通信装置３の概略図である。
【００１７】
図示するように、通信装置３は、ＬＡＮインターフェース部３１と、ＭＭインターフェース部３２と、セッション処理部３３と、通信処理部３４と、品質クラス受付部３５と、品質クラス表示部３６と、設定情報共有部３７と、を有する。
【００１８】
ＬＡＮインターフェース部３１は、ＬＡＮと接続するためのインターフェースである。通信装置３は、このＬＡＮに接続された終端装置２を介して、ＩＰ網１に接続する。
【００１９】
ＭＭインターフェース部３２は、ハンドセット（スピーカ、マイク）、ＬＣＤ等の表示パネル、ダイヤルキー、ファンクションキー等の操作パネル、およびビデオカメラ等を備えたマンマシンインターフェースである。ＭＭインターフェース部３２は、通信処理部３４から受け取った音声データ、映像データを、それぞれハンドセットのスピーカ、表示パネルから出力する。また、ＭＭインターフェース部３２は、それぞれハンドセットのマイク、ビデオカメラから出力された音声データ、映像データを通信処理部３４に渡す。
【００２０】
セッション処理部３３は、ＳＩＰ（Ｓｅｓｓｉｏｎ  Ｉｎｉｔｉａｔｉｏｎ  Ｐｒｏｔｏｃｏｌ）に従い、呼制御処理を行って、通信相手との間にセッションを確立する。
【００２１】
通信処理部３４は、セッション処理部３３により通信相手との間に確立されたセッションを介して、通信データを送受する。図示するように、通信処理部３４は、ＲＴＰ処理部３４１と、符号化処理部３４２と、入出力制御部３４３と、を有する。
【００２２】
ＲＴＰ処理部３４１は、ＲＴＰ（Ｒｅａｌｔｉｍｅ  Ｔｒａｎｓｐｏｒｔ  Ｐｒｏｔｏｃｏｌ）に従い、セッションを介して通信相手より受信したＲＴＰパケットから通信データを取り出して、符号化処理部３４２に渡す。また、符号化処理部３４２から受け取った通信データをＲＴＰパケットに格納し、セッションを介して通信相手に送信する。
【００２３】
符号化処理部３４２は、ＲＴＰ処理部３４１より受け取った通信データに復号化処理を施して、音声データ、映像データ等のメディアデータを復元し、これを入出力制御部３４３に渡す。また、符号化処理部３４２は、入出力制御部３４３より受け取ったメディアデータに符号化処理を施して通信データを生成し、これをＲＴＰ処理部３４１に渡す。
【００２４】
入出力制御部３４３は、符号化処理部３４２から受け取ったメディアデータをＭＭインターフェース部３２に渡す。また、ＭＭインターフェース部３２から受け取ったメディアデータを符号化処理部３４２に渡す。
【００２５】
品質クラス受付部３５は、ＭＭインターフェース部３２の操作パネルを介して、ユーザより品質クラスの指定を受け付ける。ここで、操作パネルに設けられた専用キーにより品質クラスの指定を受け付けてもよいし、あるいは、所定のダイヤル番号列（特番）の入力により品質クラスの指定を受け付けてもよい。そして、受け付けた品質クラスをセッション処理部３３に通知する。
【００２６】
なお、本実施の形態では、上位から順に品質クラス１（最優先）、品質クラス２（高優先）、品質クラス３（優先）、および品質クラス４（ベストエフォート）の４つの品質クラスを想定している。各品質クラスに対応する遅延／揺らぎの大きさ、ＳＤＰ情報のタイプｍの記述とタイプａの記述との組合せは、図３に示すとおりである。ここで、符号３５１は品質クラス、符号３５２は遅延／揺らぎの大きさ、符号３５３はＳＤＰ情報のタイプｍの記述、そして、符号３５４はＳＤＰ情報のタイプａの記述である。
【００２７】
品質クラス表示部３６は、セッション処理部３３が通信相手に送信した、あるいは通信相手から受信したＩＮＶＩＴＥメッセージで指定されている品質クラスを、ＭＭインターフェース部３２に表示パネルに表示する。
【００２８】
設定情報共有部３７は、ＩＰ網１上のＳＩＰサーバを経由することなく、自通信装置３との間にセッションが確立された通信相手とＩＮＶＩＴＥメッセージを直接やり取りすることにより、自通信装置３が行う所定の通信（ＩＰ電話等）のために必要な情報（符号化方式種別等）をこの通信相手と共有する。
【００２９】
図４は、通信装置３の発信処理を説明するためのフロー図である。このフローは、ＭＭインターフェース部３２がユーザからオフフック等の発信指示を受け付けることで開始する。
【００３０】
品質クラス受付部３５は、ＭＭインターフェース部３２の操作パネルを介してユーザより品質クラスの指定を受け付けたならば（Ｓ１０１でＹＥＳ）、この品質クラスをセッション処理部３３に通知する。セッション処理部３３は、品質クラス受付部３５より品質クラスを通知された後に、ＭＭインターフェース部３２の操作パネルを介してユーザより通信相手のダイヤル情報を受け付けた場合（Ｓ１０２でＹＥＳ）、Ｓ１０４に進む。一方、品質クラス受付部３５より品質クラスが通知されることなく、ＭＭインターフェース部３２の操作パネルを介してユーザより通信相手のダイヤル情報を受け付けた場合（Ｓ１０３でＹＥＳ）、Ｓ１１５に進む。
【００３１】
Ｓ１０４において、セッション処理部３３は、品質クラス受付部３５より通知された品質クラスを示すＳＤＰ情報のタイプｍおよびタイプａの記述を含み、ＭＭインターフェース部３２より受け付けたダイヤル情報を接続先ＩＰ電話番号とし、自通信装置３のＩＰ電話番号を接続元ＩＰ電話番号とする第一のＩＮＶＩＴＥメッセージを含むＳＩＰパケットを生成する。そして、このＳＩＰパケットをＬＡＮインターフェース部３１に通知する。
【００３２】
これを受けて、ＬＡＮインターフェース部３１は、図５（Ａ）に示すように、この第一のＩＮＶＩＴＥメッセージ３３０を格納したＳＩＰパケット３３１をＵＤＰパケット３３２に格納し、さらにこのＵＤＰパケット３３２を、ＩＰ網１上の所定のＳＩＰサーバのアドレスを宛先アドレスとするＩＰパケット３３３に格納する。そして、このＩＰパケット３３３をＬＡＮフレームに格納して、終端装置２に送信する（Ｓ１０５）。なお、図５（Ａ）では、品質クラスとして「優先」が指定された場合を例示している。
【００３３】
次に、セッション処理部３３は、ＬＡＮインターフェース部３１を介して、通信相手から２００ＯＫレスポンスを受信したならば（Ｓ１０６でＯＫ）、Ｓ１０７に進む。また、通信相手からＢＵＳＹレスポンスを受信したならば（Ｓ１０６でＢＵＳＹ）、所定の不完了呼処理（Ｓ１１４）を行ってこのフローを終了する。また、通信相手からＥＲＲＯＲレスポンスを受信したならば（Ｓ１０６でＥＲＲＯＲ）、通信相手が第一のＩＮＶＩＴＥメッセージで指定された品質クラスに対応していない可能性がある。この場合はＳ１１５に進む。
【００３４】
Ｓ１０７において、セッション処理部３３は、２００ＯＫレスポンスから通信相手のアドレスを取得すると共に、この通信相手との間にセッションを確立する。
【００３５】
セッション確立後、設定情報共有部３７は、セッション処理部３３を制御して、ＭＭインターフェース部３２より受け付けたダイヤル情報を接続先ＩＰ電話番号とし、かつ、自通信装置３のＩＰ電話番号を接続元ＩＰ電話番号とする第二のＩＮＶＩＴＥメッセージを含むＳＩＰパケットを生成する。このＳＩＰパケットは、自通信装置３が対応する既定の品質クラスを示すＳＤＰ情報のタイプｍおよびタイプａの記述と、通信処理部３４での通信処理に必要な情報（符号化方式等）を示すＳＤＰ情報の記述とを含む。そして、このＳＩＰパケットをセッション処理部３３からＬＡＮインターフェース部３１に通知する（Ｓ１０８）。
【００３６】
これを受けて、ＬＡＮインターフェース部３１は、図５（Ｂ）に示すように、この第二のＩＮＶＩＴＥメッセージ３３４を格納したＳＩＰパケット３３５をＵＤＰパケット３３６に格納し、さらにこのＵＤＰパケット３３６を、通信相手のアドレスを宛先アドレスとするＩＰパケット３３７に格納する。そして、このＩＰパケット３３７をＬＡＮフレームに格納して、終端装置２に送信する（Ｓ１０９）。なお、図５（Ｂ）では、既定の品質クラスとして「最優先」が指定され、符号化方式としてＧ．７１１が指定された場合を例示している。
【００３７】
次に、セッション処理部３３は、ＬＡＮインターフェース部３１を介して、通信相手から２００ＯＫレスポンスを受信したならば（Ｓ１１０でＯＫ）、その旨を設定情報共有部３７に通知して、Ｓ１１１に進む。一方、通信相手から２００ＯＫレスポンスを受信することなく、所定時間を経過したならば（Ｓ１１０でＴＩＭＥ  ＯＵＴ）、ＬＡＮインターフェース部３１を介して通信相手にＢＹＥメッセージを送信し、Ｓ１０７で確立したセッションを切断する（Ｓ１１３）。その後、このフローを終了する。
【００３８】
Ｓ１１１において、設定情報共有部３７は、第二のＩＮＶＩＴＥメッセージ３３４のＳＤＰ情報に記述した通信処理に必要な情報（例えば符号化方式）を通信処理部３４（例えば符号化処理部３４２）に設定する。それから、通信処理部３４に、Ｓ１０７で確立したセッションを用いた通信処理を開始させる。
【００３９】
これにより、通信処理部３４は、ＲＴＰ処理部３４１により、セッションを介して通信相手より受信したＲＴＰパケットから通信データを取り出し、符号化処理部３４２により、この通信データに復号化処理を施して、メディアデータを復元する。それから、入出力制御部３４３により、復元したメディアデータが音声データならば、これをＭＭインターフェース部３２のスピーカから出力し、映像データならば、これをＭＭインターフェース部３２の表示パネルに表示する。また、通信処理部３４は、入出力制御部３４３により、ＭＭインターフェース部３２からメディアデータを受け取り、符号化処理部３４２により、このメディアデータに符号化処理を施して通信データを生成する。それから、ＲＴＰ処理部３４１により、この通信データをＲＴＰパケットに格納して、セッションを介して通信相手に送信する。
【００４０】
また、品質クラス表示部３６は、ＭＭインターフェース部３２を介してユーザより受け付けた指示に従い、第一のＩＮＶＩＴＥメッセージ３３０で指定されている品質クラス、および第二のＩＮＶＩＴＥメッセージ３３４で指定されている品質クラスの少なくとも一方を、ＭＭインターフェース部３２の表示パネルに表示する（Ｓ１１２）。
【００４１】
また、Ｓ１１５において、セッション処理部３３は、ＭＭインターフェース部３２より受け付けたダイヤル情報を接続先ＩＰ電話番号とし、かつ、自通信装置３のＩＰ電話番号を接続元ＩＰ電話番号とする第二のＩＮＶＩＴＥメッセージを含むＳＩＰパケットを生成する。このＳＩＰパケットは、自通信装置３が対応する既定の品質クラスを示すＳＤＰ情報のタイプｍおよびタイプａの記述と、通信処理部３４での通信処理に必要な情報（符号化方式等）を示すＳＤＰ情報の記述とを含む。そして、このＳＩＰパケットをＬＡＮインターフェース部３１に通知する。
【００４２】
これを受けて、ＬＡＮインターフェース部３１は、図５（Ｃ）に示すように、この第二のＩＮＶＩＴＥメッセージ３３４を格納したＳＩＰパケット３３８をＵＤＰパケット３３９に格納し、さらにこのＵＤＰパケット３３９を、ＩＰ網１上の所定のＳＩＰサーバのアドレスを宛先アドレスとするＩＰパケット３４０に格納する。そして、このＩＰパケット３４０をＬＡＮフレームに格納して、終端装置２に送信する（Ｓ１１６）。なお、図５（Ｃ）では、図５（Ｂ）と同様に、既定の品質クラスとして「最優先」が指定され、符号化方式としてＧ．７１１が指定された場合を例示している。
【００４３】
次に、セッション処理部３３は、ＬＡＮインターフェース部３１を介して、通信相手から２００ＯＫレスポンスを受信したならば（Ｓ１１７でＯＫ）、Ｓ１１８に進む。一方、通信相手からＢＵＳＹレスポンスまたはＥＲＲＯＲレスポンスを受信したならば（Ｓ１０６でＢＵＳＹ／ＥＲＲＯＲ）、所定の不完了呼処理（Ｓ１１４）を行ってこのフローを終了する。
【００４４】
Ｓ１１８において、セッション処理部３３は、通信相手との間にセッションを確立する。セッション確立後、設定情報共有部３７は、第二のＩＮＶＩＴＥメッセージ３３４のＳＤＰ情報に記述した通信処理に必要な情報（例えば符号化方式）を通信処理部３４（例えば符号化処理部３４２）に設定する。それから、通信処理部３４に、Ｓ１１８で確立したセッションを用いた通信処理を開始させる（Ｓ１１９）。
【００４５】
また、品質クラス表示部３６は、第二のＩＮＶＩＴＥメッセージ３３４で指定されている品質クラスを、ＭＭインターフェース部３２の表示パネルに表示する（Ｓ１２０）。
【００４６】
図６は、通信装置３の着信処理を説明するためのフロー図である。このフローは、ＬＡＮンターフェース部３１を介してＩＰ網１からセッション処理部３３に、セッション未確立の通信相手を送信元とするＩＮＶＩＴＥメッセージ（第一のＩＮＶＩＴＥメッセージに対応）が到着することで開始する。
【００４７】
先ず、セッション処理部３３は、このＩＮＶＩＴＥメッセージで指定されている品質クラスが、自通信装置３が対応する既定の品質クラスであるか否かを調べる（Ｓ２０１）。
【００４８】
このＩＮＶＩＴＥメッセージで指定されている品質クラスが既定の品質クラスである場合（Ｓ２０１でＹＥＳ）、セッション処理部３３は、通信処理部３４（例えば符号化処理部３４２）がこのＩＮＶＩＴＥメッセージのＳＤＰ情報に記述されている通信処理に必要な情報（例えば符号化方式）に対応しているか否かをさらに調べる（Ｓ２０２）。
【００４９】
通信処理部３４がこのＩＮＶＩＴＥメッセージのＳＤＰ情報に記述されている通信処理に必要な情報に対応していない場合（Ｓ２０２でＮＯ）、セッション処理部３３は、このＩＮＶＩＴＥメッセージの送信元アドレスにより特定される通信相手にＥＲＲＯＲレスポンスを送信して（Ｓ２０６）、このフローを終了する。
【００５０】
一方、通信処理部３４がこのＩＮＶＩＴＥメッセージのＳＤＰ情報に記述されている通信処理に必要な情報に対応している場合（Ｓ２０２でＹＥＳ）、セッション処理部３３は、このＩＮＶＩＴＥメッセージの送信元アドレスにより特定される通信相手に２００ＯＫレスポンスを送信して、この通信相手との間にセッションを確立する（Ｓ２０３）。
【００５１】
そして、セッション確立後、設定情報共有部３７は、このＩＮＶＩＴＥメッセージのＳＤＰ情報に記述されている通信処理に必要な情報（例えば符号化方式）を通信処理部３４（例えば符号化処理部３４２）に設定する。それから、通信処理部３４に、Ｓ２０３で確立したセッションを用いた通信処理を開始させる（Ｓ２０４）。
【００５２】
また、品質クラス表示部３６は、このＩＮＶＩＴＥメッセージで指定されている品質クラスを、ＭＭインターフェース部３２の表示パネルに表示する（Ｓ２０５）。
【００５３】
一方、Ｓ２０１において、このＩＮＶＩＴＥメッセージで指定されている品質クラスが既定の品質クラスでない場合（Ｓ２０１でＮＯ）、セッション処理部３３は、このＩＮＶＩＴＥメッセージの送信元アドレスにより特定される通信相手に２００ＯＫレスポンスを送信して、この通信相手との間にセッションを確立する（Ｓ２０７）。それから、この通信相手から新たにＩＮＶＩＴＥメッセージ（第二のＩＮＶＩＴＥメッセージに対応）が届くのを待つ（Ｓ２０８、Ｓ２０９）。
【００５４】
所定時間内に新たなＩＮＶＩＴＥメッセージが届かなかった場合は（Ｓ２０９でＹＥＳ）、Ｓ２０７で確立したセッションを切断して（Ｓ２１５）、このフローを終了する。一方、所定時間内に新たなＩＮＶＩＴＥメッセージを受信した場合（Ｓ２０８でＹＥＳ）、セッション処理部３３は、通信処理部３４（例えば符号化処理部３４２）が新たなＩＮＶＩＴＥメッセージのＳＤＰ情報に記述されている通信処理に必要な情報（例えば符号化方式）に対応しているか否かをさらに調べる（Ｓ２１０）。
【００５５】
通信処理部３４が新たなＩＮＶＩＴＥメッセージのＳＤＰ情報に記述されている通信処理に必要な情報に対応していない場合（Ｓ２１０でＮＯ）、セッション処理部３３は、通信相手にＥＲＲＯＲレスポンスを送信し（Ｓ２１４）、その後、Ｓ２０７で確立したセッションを切断して（Ｓ２１５）、このフローを終了する。
【００５６】
一方、通信処理部３４が新たなＩＮＶＩＴＥメッセージのＳＤＰ情報に記述されている通信処理に必要な情報に対応している場合（Ｓ２１０でＹＥＳ）、セッション処理部３３は、通信相手に２００ＯＫレスポンスを送信する（Ｓ２１１）。その後、設定情報共有部３７は、新たなＩＮＶＩＴＥメッセージのＳＤＰ情報に記述されている通信処理に必要な情報（例えば符号化方式）を、通信処理部３４（例えば符号化処理部３４２）に設定する。それから、通信処理部３４に、Ｓ２０７で確立したセッションを用いた通信処理を開始させる（Ｓ２１２）。
【００５７】
また、品質クラス表示部３６は、ＭＭインターフェース部３２を介してユーザより受け付けた指示に従い、最初のＩＮＶＩＴＥメッセージで指定されている品質クラス、および新たなＩＮＶＩＴＥメッセージで指定されている品質クラスの少なくとも一方を、ＭＭインターフェース部３２の表示パネルに表示する（Ｓ２１３）。
【００５８】
図７は、図１に示す通信システムの動作シーケンスの一例を示す図である。ここで、符号６は、ＩＰ網１上のＳＩＰサーバである。
【００５９】
通信装置「Ａ」３は、オフフック後、例えば、品質クラス「優先」の指定、および通信装置「Ｂ」３のダイヤル情報を受け付けると（Ｓ３０１）、品質クラス「優先」を指定し、通信装置「Ｂ」３を宛先とする第一のＩＮＶＩＴＥメッセージを送信する（Ｓ３０２）。このＩＮＶＩＴＥメッセージは、ＳＩＰサーバ６により通信装置「Ｂ」３のＩＰアドレスが特定され、そのＩＰアドレスを持つ通信装置「Ｂ」３に到達する（Ｓ３０３）。
【００６０】
通信装置「Ｂ」３は、第一のＩＮＶＩＴＥメッセージを受信すると、このメッセージの送信元である通信装置「Ａ」３にＳＩＰサーバ６経由で２００ＯＫレスポンスを送信する（Ｓ３０４）。これにより、通信装置「Ａ」３と通信装置「Ｂ」３との間に、品質クラス「優先」のセッションが確立される（Ｓ３０５）。
【００６１】
セッション確立後、通信装置「Ａ」３は、自通信装置が対応する既定の品質クラス「最優先」を指定し、自通信装置の通信処理に必要な情報を記述し、ＳＩＰサーバ６により特定された通信装置「Ｂ」３のＩＰアドレスを宛先とする第二のＩＮＶＩＴＥメッセージを送信する（Ｓ３０６）。この第二のＩＮＶＩＴＥメッセージは、ＳＩＰサーバ６を経由することなく、通信装置「Ｂ」３に直接到達する。
【００６２】
通信装置「Ｂ」３は、第二のＩＮＶＩＴＥメッセージを受信すると、この第二のＩＮＶＩＴＥメッセージで指定されている品質クラスが、自通信装置が対応する既定の品質クラスであり、且つ自通信装置が、この第二のＩＮＶＩＴＥメッセージに記述されている通信処理に必要な情報に対応していることを確認し、この第二のＩＮＶＩＴＥメッセージの送信元である通信装置「Ａ」３に、ＳＩＰサーバ６を経由することなく２００ＯＫレスポンスを送信する（Ｓ３０７）。
【００６３】
これにより、通信装置「Ａ」３および通信装置「Ｂ」３の各々に、第二のＩＮＶＩＴＥメッセージに記述されている通信処理に必要な情報が設定され（Ｓ３０８、Ｓ３０９）、この設定された情報に従い、通信装置「Ａ」３と通信装置「Ｂ」３との間で、確立されたセッションを用いた通信（ＩＰ電話）が開始される（Ｓ３１０）。
【００６４】
以上、本発明の第一の実施の形態について説明した。
【００６５】
本実施の形態によれば、通信装置３は、発呼に際して品質クラスの指定を受け付け、この受け付けた品質クラスを指定する第一のＩＮＶＩＴＥメッセージによってセッションを確立する。このため、任意の品質クラスで通信サービスを受けることができる。
【００６６】
また、本実施の形態において、発側の通信装置３は、自通信装置が対応する既定の品質クラスを指定し、且つ自通信装置３が対応する通信処理に必要な情報を記述する第二のＩＮＶＩＴＥメッセージを、セッションの確立後にＩＰ網１上のＳＩＰサーバを経由することなく着側の通信装置３に直接送信する。一方、着側の通信装置３は、第二のＩＮＶＩＴＥメッセージで指定されている品質クラスおよびこのメッセージに記述されている通信処理に必要な情報に自通信装置３が対応している場合、発側の通信装置３に２００ＯＫメッセージを送信する。
【００６７】
このようにすることにより、所定の通信（例えばＩＰ電話）が本来想定している既定の品質クラス以外の品質クラスを指定する第一のＩＮＶＩＴＥメッセージではＩＰ網１上のＳＩＰサーバを通過することが保証されていない情報の場合でも、ＳＩＰサーバを経由しない第二のＩＮＶＩＴＥメッセージにより、発側の通信装置３および着側の通信装置３間でこの所定の通信に必要な情報（例えば符号化方式）を共有することができる。また、本実施の形態では、この所定の通信に必要な情報を共有するためにＩＮＶＩＴＥメッセージを用いているので、情報共有のために特別なプロトコルを採用する必要がない。
【００６８】
また、本実施の形態において、通信装置３は、第一のＩＮＶＩＴＥメッセージに対するレスポンスとして、通信相手からＥＲＲＯＲレスポンスを受信した場合に、第二のＩＮＶＩＴＥメッセージをＩＰ網１上のＳＩＰサーバに送信して、通信相手との間にセッションを確立する。このようにすることで、通信相手が本実施の形態に係る通信装置３以外のＳＩＰ端末（例えば既存のＩＰ電話機）の場合でも、通信相手との間にセッションを確立することが可能となる。
【００６９】
また、本実施の形態において、通信装置３は、第一のＩＮＶＩＴＥメッセージおよび第二のＩＮＶＩＴＥメッセージで指定されている品質クラスの少なくとも一方を表示する。このようにすることにより、確立中のセッションの品質クラス、あるいは実行中の通信が本来想定している品質クラスをユーザに知らせることができる。
［第二の実施の形態］
図８は、本発明の第二の実施の形態が適用された通信システムの概略図である。ここで、図１に示す第一の実施の形態のものと同様の機能を有するものには同じ符号を付している。
【００７０】
図示するように、本実施の形態の通信システムは、アナログ電話機５を収容する通信装置４がＩＰ網１に接続されて構成される。
【００７１】
通信装置４は、ＩＰ網１に対応したＳＩＰ端末であり、アナログ電話機５のユーザにより指定された品質クラス、あるいは、アナログ電話機５に対応する品質クラス（電話サービスに本来適用すべき品質クラス）を、ＩＮＶＩＴＥメッセージのボディ部に含めるＳＤＰ情報を用いて指定する。本実施の形態も、上記第一の実施の形態と同様、音声、映像、データ等のメディア種別を示すタイプｍおよび片方向、双方向等の通信方向を示すタイプａの記述の組合せにより品質クラスを指定するものとするが、品質クラスを示すタグをＩＮＶＩＴＥメッセージのボディ部に含めてもよい。
【００７２】
図９は、通信装置４の概略図である。ここで、図２に示す第一の実施の形態のものと同様の機能を有するものには同じ符号を付している。
【００７３】
図示するように、本実施の形態の通信装置４は、ＩＰ網インターフェース部４１と、アナログ電話機インターフェース部４２と、セッション処理部３３と、通信処理部３４と、品質クラス受付部４５と、品質クラス通知部４６と、設定情報共有部３７と、を有する。
【００７４】
ＩＰ網インターフェース部４１は、ＩＰ網１と接続するためのインターフェースである。ＩＰ網インターフェース部４１は、ＩＰ網１より受け取ったＩＰパケットを解析し、このＩＰパケットにＳＩＰパケットが格納されている場合は、このＳＩＰパケットをセッション処理部３３に渡し、ＲＴＰパケットが格納されている場合は、このＲＴＰパケットを通信処理部３４に渡す。また、セッション処理部３３から受け取ったＳＩＰパケット、および通信処理部３４から受け取ったＲＴＰパケットを、それぞれＩＰパケットに格納して、ＩＰ網１に送出する。
【００７５】
アナログ電話機インターフェース部４２は、アナログ電話機５と接続するためのインターフェースである。アナログ電話機インターフェース部４２は、アナログ電話機５より受け取った呼制御信号をセッション処理部３３に渡すと共に、アナログ電話機５より受け取った通話信号を通信処理部３４に渡す。さらに、アナログ電話機５より受け取った所定のダイヤル番号列（特番）を品質クラス受付部４５に渡す。また、アナログ電話機インターフェース部４２は、セッション処理部３３から受け取った呼制御信号および通信処理部３４から受け取った通話信号をアナログ電話機５に渡す。
【００７６】
品質クラス受付部４５は、アナログ電話機インターフェース部４２より受け付けたダイヤル番号列に応じて予め定められている品質クラスを特定し、この品質クラスをセッション処理部３３に通知する。なお、本実施の形態でも、上記の第一の実施の形態と同様に、上位から順に品質クラス１（最優先）、品質クラス２（高優先）、品質クラス３（優先）、および品質クラス４（ベストエフォート）の４つの品質クラスを想定している（図３参照）。
【００７７】
品質クラス通知部４６は、セッション処理部３３が通信相手に送信した、あるいは通信相手から受信したＩＮＶＩＴＥメッセージで指定されている品質クラスの通知信号を、アナログ電話機インターフェース部４２を介してアナログ電話機５に通知する。この品質クラスの通知信号は、音声信号でもよいし、あるいはアナログ電話機５の表示パネルにこの品質クラスを表示するための信号でもよい。
【００７８】
上述したように、第一の実施の形態の通信装置３がＭＭインターフェース部３２を搭載しているのに対して、本実施の形態の通信装置４は、アナログ電話機５を収容するアナログ電話機インターフェース部４２を搭載している。この点に伴う動作の相違を除き、本実施の形態の通信装置４の発信処理および着信処理は、図４、図６に示す第一の実施の形態の通信処理３の発信処理、着信処理と基本的に同様である。
【００７９】
図１０は、図８に示す通信システムの動作シーケンスの一例を示す図である。ここで、符号６は、ＩＰ網１上のＳＩＰサーバである。
【００８０】
アナログ電話機「ａ」５は、ユーザによりオフフックされると、アナログ電話機「ａ」５を収容する通信装置「Ａ」４にオフフック信号を送信する。その後、アナログ電話機「ａ」５は、ユーザより受け付けた品質クラスを示す特番および通信装置「Ｂ」４の電話番号を示すダイヤル情報を通信装置「Ａ」４に送信する（Ｓ４０１）。
【００８１】
これを受けて、通信装置「Ａ」４は、アナログ電話機「ａ」５から受け付けた特番に予め対応付けられている品質クラス「優先」を指定し、通信装置「Ｂ」４を宛先とする第一のＩＮＶＩＴＥメッセージを送信する（Ｓ４０２）。この第一のＩＮＶＩＴＥメッセージは、ＳＩＰサーバ６により通信装置「Ｂ」４のＩＰアドレスが特定され、そのＩＰアドレスを持つ通信装置「Ｂ」４に到達する（Ｓ４０３）。
【００８２】
通信装置「Ｂ」４は、第一のＩＮＶＩＴＥメッセージを受信すると、この第一のＩＮＶＩＴＥメッセージで指定されている品質クラスを、自通信装置が収容するアナログ電話機「ｂ」５に通知して、このアナログ電話機「ｂ」５を呼出す（Ｓ４０４）。そして、アナログ電話機「ｂ」５は、ユーザによりオフフックされると、オフフック信号を通信装置「Ｂ」４に送信する（Ｓ４０５）。
【００８３】
通信装置「Ｂ」４は、アナログ電話機「ｂ」５よりオフフック信号を受信すると、第一のＩＮＶＩＴＥメッセージの送信元である通信装置「Ａ」４に、ＳＩＰサーバ６経由で２００ＯＫレスポンスを送信する（Ｓ４０６）。
【００８４】
通信装置「Ａ」４は、通信装置「Ｂ」４から２００ＯＫレスポンスを受信すると、第一のＩＮＶＩＴＥメッセージで指定されている品質クラスをアナログ電話機「ａ」５に通知して応答する（Ｓ４０７）。これにより、アナログ電話機「ａ」５とアナログ電話機「ｂ」５との間にセッションが確立される（Ｓ４０８〜Ｓ４１０）。ここで、通信装置「Ａ」４と通信装置「Ｂ」４との間には、品質クラス「優先」のセッションが確立される（Ｓ４０９）。
【００８５】
セッション確立後、通信装置「Ａ」４は、自通信装置が対応する既定の品質クラス「最優先」を指定し、自通信装置の通信処理に必要な情報を記述し、ＳＩＰサーバ６により特定された通信装置「Ｂ」４のＩＰアドレスを宛先とする第二のＩＮＶＩＴＥメッセージを送信する（Ｓ４１１）。この第二のＩＮＶＩＴＥメッセージは、ＳＩＰサーバ６を経由することなく、通信装置「Ｂ」４に直接到達する。
【００８６】
通信装置「Ｂ」４は、第二のＩＮＶＩＴＥメッセージを受信すると、この第二のＩＮＶＩＴＥメッセージで指定されている品質クラスが、自通信装置が対応する既定の品質クラスであり、且つ自通信装置がこの第二のＩＮＶＩＴＥメッセージに記述されている通信処理に必要な情報に対応していることを確認し、この第二のＩＮＶＩＴＥメッセージの送信元である通信装置「Ａ」４に、ＳＩＰサーバ６を経由することなく２００ＯＫレスポンスを送信する（Ｓ４１２）。
【００８７】
これにより、通信装置「Ａ」４および通信装置「Ｂ」４の各々に、第二のＩＮＶＩＴＥメッセージに記述されている通信処理に必要な情報が設定され（Ｓ４１３、Ｓ４１４）、この設定された情報に従い、通信装置「Ａ」４と通信装置「Ｂ」４との間で、確立されたセッションを用いた通信（電話）が開始される（Ｓ４１５〜Ｓ４１７）。ここで、通信装置「Ａ」４と通信装置「Ｂ」４との間ではＩＰ電話が開始される（Ｓ４１６）。
【００８８】
以上、本発明の第二の実施の形態について説明した。
【００８９】
本実施の形態によれば、通信装置４に収容されたアナログ電話機５を利用して、上記第一の実施の形態と同様の効果を得ることができる。
【００９０】
なお、本実施の形態では、通信装置４にアナログ電話機５を収容するようにしているが、アナログ電話機５の代わりにＩＰ電話機を収容してもかまわない。この場合、アナログ電話機インターフェース部４２に代えてＩＰ電話機インターフェース部を搭載する。また、品質クラス受付部４５による品質クラスの受付は、例えばＩＰ電話機に設けられた所定の多機能ボタンの押下信号を、ＩＰ電話機インターフェース部を介して品質クラス受付部４５が受信することにより行うようにしてもよい。
【００９１】
また、本実施の形態の通信装置４には、表示パネル、および、第一および第二のＩＮＶＩＴＥメッセージで指定されている品質クラスの少なくとも一方を表示パネルに表示する品質クラス表示部を設けてもよい。
【００９２】
なお、本発明は上記の各実施の形態に限定されるものではなく、その要旨の範囲内で数々の変形が可能である。例えば、通信装置の構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよいし、あるいはＤＳＰ（Ｄｉｇｉｔａｌ  Ｓｉｇｎａｌ  Ｐｒｏｃｅｓｓｅｒ）、ＰＣ（Ｐｅｒｓｏｎａｌ  Ｃｏｍｐｕｔｅｒ）などの計算機によりソフトウエア的に実行されるものでもよい。
【００９３】
また、上記の各実施の形態では、第二のＩＮＶＩＴＥメッセージを利用して、発側の通信装置および着側の通信装置間で所定の通信に必要な情報（例えば符号化方式）を共有している。しかし、本発明はこれに限定されない。例えば、特別な通信プロトコルを用いて、発側の通信装置および着側の通信装置間で所定の通信に必要な情報を共有してもよい。
【図面の簡単な説明】
【００９４】
【図１】図１は、本発明の第一の実施の形態が適用された通信システムの概略図である。
【図２】図２は、通信装置３の概略図である。
【図３】図３は、品質クラスを説明するための図である。
【図４】図４は、通信装置３の発信処理を説明するためのフロー図である。
【図５】図５（Ａ）〜（Ｃ）は、ＩＮＶＩＴＥメッセージを格納したＩＰパケットの構成例を説明するための図である。
【図６】図６は、通信装置３の着信処理を説明するためのフロー図である。
【図７】図７は、図１に示す通信システムの動作シーケンスの一例を示す図である。
【図８】図８は、本発明の第二の実施の形態が適用された通信システムの概略図である。
【図９】図９は、通信装置４の概略図である。
【図１０】図１０は、図８に示す通信システムの動作シーケンスの一例を示す図である。
【符号の説明】
【００９５】
１：ＩＰ網、２：終端装置、３：通信装置、４：通信装置、５：アナログ電話機、６：ＳＩＰサーバ、３１：ＬＡＮインターフェース部、３２：ＭＭインターフェース部、３３：Ｓセッション処理部、３４：通信処理部、３５：品質クラス受付部、３６：品質クラス表示部、３７：設定情報共有部、４１：ＩＰ網インターフェース部、４２：アナログ電話機インターフェース部、４５：品質クラス受付部、４６：品質クラス通知部、３４１：ＲＴＰ処理部、３４２：符号化処理部、３４３：入出力制御部
【図１】
0004898603.tif 000002
【図２】
0004898603.tif 000003
【図３】
0004898603.tif 000004
【図４】
0004898603.tif 000005
【図５】
0004898603.tif 000006
【図６】
0004898603.tif 000007
【図７】
0004898603.tif 000008
【図８】
0004898603.tif 000009
【図９】
0004898603.tif 000010
【図１０】
0004898603.tif 000011